(57)【要約】【課題】マルチタッチを認識できる静電容量方式のタッチスクリーンに用いる接触メディアであって、接触メディアの２つある短辺のどちらを持っても機能することが可能な接触メディアを提供する。【解決手段】接触メディアの持ち位置部が導線部の延長である線で形成され、２つある短辺の両方にその持ち位置部が形成され、導線部はタッチ部以外で接触することなく形成される。【選択図】図１
2020046914.tif 000002
【特許請求の範囲】
【請求項１】
マルチタッチを認識できる静電容量方式のタッチスクリーンに用いる接触メディアであって、該接触メディアは特性情報別に予め決められた位置に導電性物質からなる複数のタッチ部と、該タッチ部にのみ接触する導電性物質からなる導線部とを有し、該導線部の該タッチ部と非接触の端部は、該接触メディアの両短辺近傍に位置するかまたは両短辺近傍を経由していることを特徴とする接触メディア。
【発明の詳細な説明】
【技術分野】
【０００１】
本発明はタッチスクリーンを利用した接触メディア認識システムに用いる接触メディアに関する。特に、カード形状の接触メディアにおいて、カードの持ち位置を複数有し、それらのどの持ち位置を持っても同じ動作となる接触メディアに関するものである。
【背景技術】
【０００２】
従来、接触メディアに情報を記録して電子的に読み出す方式には、接触メディアのひとつの面に特性情報別に予め決められた位置に複数の導電性物質領域を形成し、マルチタッチを認識できる静電容量方式のタッチスクリーンで、この複数の導電性物質領域の位置を認識し、この位置情報を用いて特性情報とする方式がある。
【０００３】
この方式の接触メディア認識システムは、特許文献１を初めとしていくつかの提案がなされている。
【０００４】
この接触メディア認識システムに用いる接触メディアは、カードに代表される形状であり、長方形が一般的である。長方形のカードは対向する１辺が長く、ここでは長辺、もう一対の対向する辺を短辺と呼んで区別する。
【０００５】
接触メディアの基材は、ＰＥＴ等のプラスチック、紙、木質系素材、これらを積層させた複合素材、ガラス、セラミック、布帛、皮革、またはそれらの組み合わせ等である。基材には非導電性の面があり、非導電性の面に特性情報別に予め決められた位置に複数の導電性物質領域が形成される。
【０００６】
接触メディアの導電性物質領域は、スクリーン印刷技術を用いて導電性のインキを印刷することで形成される場合が多い。他の方法として、金属箔を基材に貼って形成する方法も知られている。接触メディアの導電性物質領域は、特性情報別に予め決められた位置に形成される。
【０００７】
これらの導電性物質領域は一般的に有色であるため、このままでは、特性情報を持たせた位置が分かってしまう。このため、これらの導電性物質領域を形成した面には、もうひとつの基材を貼り合わせ、この導電性物質領域を見え難くすることが多い。
【０００８】
接触メディアのふたつの面、表面と裏面、には印刷が施されることが一般的である。従来、この印刷にはオフセット印刷が用いられてきた。導電性物質領域を見え難くするために貼り合わせたもうひとつの基材は、きれいな印刷をするためにも機能する。
【０００９】
接触メディアの導電性物質領域を画像と捉えて機能面から説明すると、導電性物質領域は３種類の画像で構成される。
【００１０】
１つ目は、タッチスクリーンにおいてタッチしたと検知される画像部分であり、ここではタッチ部と記述する。タッチ部は、大き目の面積を持つ円形等で形成される。タッチ部は、接触メディアのひとつの面に特性情報に合わせて、予め決められた位置に導電性物質領域としてタッチ部が複数形成される。この接触メディアをマルチタッチが認識できる静電容量方式のタッチスクリーンに接触させると、タッチスクリーンはこの複数の導電性物質領域のタッチ部の位置、すなわちタッチ部同士の位置関係を認識し、この位置情報を用いて特性情報とする。
【００１１】
２つ目は、カード形状の接触メディアにおいては、人間がカードを指で持つ場所、カードの持ち位置に配置され、上記タッチ部と人間の指を繋ぐ画像部分であり、ここでは持ち位置部と記述する。持ち位置部は、通常、人間がカードを持つ部分の許容性と作動安定性とを考慮して、カードの端部近くに、大き目の面積を持つエリアで形成される。従来は、例えば、四角の面や、広い楕円、網目状画像として形成される。
【００１２】
３つ目は、タッチ部と持ち位置部を導電性物質で繋ぐ画像部分であり、ここでは導線部と記述する。導線部は、細い線で形成される。導線部を細い線で形成することで、静電容量方式のタッチスクリーンにおいて、タッチスクリーンに接触してもタッチ位置として認識されない。このため、タッチ部の位置のみを認識し、この位置情報が特性情報となる。
【００１３】
このように、接触メディアの導電性物質領域は３種類の画像で形成され、人間がカードの持ち位置部を指で持つと、タッチ部は導線部と持ち位置部を経て人間の指と繋がり、指で持った接触メディアのタッチ部を形成したエリアをタッチスクリーンにタッチさせると、人間の指が静電容量方式のタッチスクリーンにマルチタッチしたのと同様に機能する。
【００１４】
接触メディアにおいて、もし人間がこれら持ち位置部、導線部、タッチ部のいずれの導電性物質領域にも触れない場合、例えば接触メディアを単にタッチスクリーン上に置いただけでは、この接触メディアのマルチタッチの作用は不安定となって、基本的には機能しない。すなわち、接触メディアの想定する正しい使い方は、持ち位置部はタッチスクリーンに接触させない。カード形状の接触メディアにおいて、持ち位置部は人間の指がカードを持つ位置であるため、タッチスクリーンの外側となり、タッチスクリーンに接触しない範囲に形成されている。
【００１５】
以上のように構成された接触メディアにおいて、接触メディアが一般的な長方形のカード形状では、従来、図５のごとく、２つある短辺の一方の近くに持ち位置部が設けられ、それ以外の部分にタッチ部が設けられる。そして、持ち位置部側には印刷等により持ち位置部を明示する処置が施されたものもある。
【００１６】
しかし、一般的な長方形のカードの２つある短辺のうち、持ち位置部が設けられていない側の短辺を人間が指で持ち、タッチスクリーンにタッチすることも起こり得る。
【００１７】
導電性物質領域を形成した面には、もうひとつの基材を貼り合わせ、さらにその面に印刷が加えられ、この導電性物質領域を見え難くしてある場合が多い。このため、導電性物質領域として形成した持ち位置部は、見た目では分からない場合が多い。
【００１８】
また、長方形のカードを持ってスマートフォン画面、タッチスクリーン、にタッチする動作において、右利きの方は図柄の右を持つ傾向があり、左利きの方は図柄の左側を持つ傾向がある。そして、人間が持ち位置部を持たない場合、導電性物質領域と繋がらず、正常に機能しない場合が多い。
【００１９】
さらに、一般的な長方形のカードの２つある短辺のうち、持ち位置部が設けられていない側の短辺を持つ場合、持ち位置部を持たないという問題に加え、そもそもカードのタッチ部のある側を持ってしまうため、タッチ部がタッチスクリーンにタッチしないことになって、正常に機能しないという問題があった。
【先行技術文献】
【特許文献】
【００２０】
【特許文献１】特許第５７０９２８４号公報
【発明の概要】
【発明が解決しようとする課題】
【００２１】
本発明の目的は、マルチタッチを認識できる静電容量方式のタッチスクリーンに用いるカード状の接触メディアであって、該カードの２つある短辺のうち、どちらの短辺を持っても機能する接触メディアを提供することにある。
【課題を解決するための手段】
【００２２】
本発明の上記目的は、以下の接触メディアにより達成された。
すなわち、本発明は、マルチタッチを認識できる静電容量方式のタッチスクリーンに用いるカード状の接触メディアであって、該接触メディアのひとつの面に特性情報別に予め決められた位置に導電性物質からなる複数のタッチ部と、該タッチ部にのみ接触する導電性物質からなる導線部とが設けられ、該導線部の該タッチ部と非接触の端部は、該カード状の接触メディアの２つある短辺の近傍に位置するかまたは２つある短辺の近傍を経由していることを特徴とする接触メディアである。
【発明の効果】
【００２３】
本発明により、マルチタッチを認識できる静電容量方式のタッチスクリーンに用いるカード状の接触メディアであって、該カードのどちらの短辺を持っても機能する接触メディアを提供することができる。
【図面の簡単な説明】
【００２４】
【図１】本発明の接触メディアに係る一実施形態の構成図。
【図２】本発明の接触メディアに係る他の一実施形態の構成図。
【図３】本発明の接触メディアに係る他の一実施形態の構成図。
【図４】本発明の接触メディアに係る他の一実施形態の構成図。
【図５】従来の接触メディアの構成図。
【発明を実施するための形態】
【００２５】
本発明の実施形態について、図を参照しながら説明するが、それに先だって、従来のカード状の接触メディアの２つある短辺近傍の片方のみに持ち位置部が形成されている接触メディアの構成を図５に示す。基材１４には、導電性物質領域として、タッチ部１３と持ち位置部１１が形成され、これらを繋ぐように導線部１２が形成されている。持ち位置部１１は、カード状の接触メディアの２つある短辺の一方にのみ形成され、タッチ部１３は持ち位置部１１以外の部分に形成されている。
【００２６】
このように、従来の接触メディアでは持ち位置部１１はカード状の接触メディアの２つある短辺の一方にのみ形成されていたため、それに対向する短辺側（持ち位置部が形成されていない短辺側）を持っても、マルチタッチを認識できる静電容量方式のタッチスクリーンは、特性情報別に予め決められた位置にある複数のタッチ部１３を正常に認識できず、正常に機能しなかった。また、持ち位置部１１が形成されていない短辺側であってもタッチ部または導線部を持ってタッチスクリーンに接触させると、従来の接触メディアの持ち位置部１１は導電性物質領域であり、その形状や大きさから、タッチ部１３と同様にタッチスクリーンにタッチしたと認識されてしまう。このため、正常にマルチタッチを行うには実質的にカードを持つ位置がカードの短辺の一方（持ち位置部側の短辺）に限定されていた。そして、タッチ部１３や導線部１２は持ち位置部側と反対の短辺からは十分に離すと共に、持ち位置部側を持ってタッチした場合に少なくともタッチ部が全てタッチするように配置する必要があった。
【００２７】
以上の従来の接触メディアに対し、本発明の接触メディアは、その一実施形態として、マルチタッチを認識できる静電容量方式のタッチスクリーンに用いる接触メディアであって、図１に示すように、この接触メディアのひとつの面を構成する基材４上に特性情報別に予め決められた位置に導電性物質からなる複数のタッチ部３と、このタッチ部３にのみ接触する導電性物質からなる導線部２とが設けられ、導線部２のタッチ部３と非接触の端部は、カード状の接触メディアの２つある短辺の近傍を経由している接触メディアである。具体的には、図１における導線部２は、４つのタッチ部３からそれぞれ非接触を保って一旦図面右下方で集まり、カーブしながら（すなわち、アングルを形成せず）図面下方の接触メディアの短辺の近傍を経由して、図面左側長辺の近傍、図面上方の接触メディアの短辺の近傍、更には図面右側長辺の近傍にまで達している。
【００２８】
また、本発明の接触メディアに係る他の一実施形態として、図２に示すように、接触メディアのひとつの面を構成する基材４上に特性情報別に予め決められた位置に導電性物質からなる複数のタッチ部３と、このタッチ部３にのみ接触する導電性物質からなる導線部２とが設けられ、タッチ部３は１本の導線部２によって導通され、導線部２のタッチ部３と非接触の端部は、再びタッチ部３や導線部２と接することなく、一旦図面右下方でカーブしながら図面下方の接触メディアの短辺の近傍を経由して、図面左側長辺の近傍、図面上方の接触メディアの短辺の近傍、更には図面右側長辺の近傍にまで達している。
【００２９】
また、本発明の接触メディアに係る他の一実施形態として、図３に示すように、接触メディアのひとつの面を構成する基材４上に特性情報別に予め決められた位置に導電性物質からなる複数のタッチ部３と、このタッチ部３にのみ接触する導電性物質からなる導線部２とが設けられ、導線部２のタッチ部３と非接触の両端部は、接触メディアの２つある短辺の近傍に位置している。具体的には、図３において、４つのタッチ部３がそれぞれ導線部２と接続し、それぞれの導線部２が非接触を保ってカード状の接触メディアの２つある短辺のそれぞれの近傍にまで達している。換言すれば、４つのタッチ部３がそれぞれ導線部２と接続し、それぞれの導線部２の一方の端部は非接触を保ってカード状の接触メディアの２つある短辺の一方の近傍にまで達し、それぞれの導線部２のもう一方の端部は非接触を保ってカード状の接触メディアの２つある短辺のもう一方の近傍にまで達している。
【００３０】
また、本発明の接触メディアに係る他の一実施形態として、図３に示すように、接触メディアのひとつの面を構成する基材４上に特性情報別に予め決められた位置に導電性物質からなる複数のタッチ部３と、このタッチ部３にのみ接触する導電性物質からなる導線部２とが設けられ、複数のタッチ部３は１本の導線部２によって導通され、導線部２のタッチ部３と非接触の２つの端部は、再びタッチ部３や導線部２と接することなく、一方の導線部はカード状の接触メディアの２つある短辺の一方の短辺近傍に、他方の導線部はもう一方の短辺に位置している。
【００３１】
接触メディアの２つの短辺の近傍に双方に位置するかまたは２つの短辺の近傍の一方を経由して他方に位置している、タッチ部３と非接触の導線部２の端部は、この導線部２の位置を人間が持つと、従来の接触メディアの持ち位置部１１と同じ機能を発揮する。
【００３２】
一方、本実施形態に係る接触メディアのカードの２つある短辺の近傍に延長されている導線部２は、導電性物質領域でありながら、その形状や大きさから、マルチタッチを認識できる静電容量方式のタッチスクリーンで、タッチ部３とは異なり、タッチしたと認識されない。このため、タッチ部と同様な位置に配置できる。
【産業上の利用可能性】
【００３３】
本発明により、マルチタッチを認識できる静電容量方式のタッチスクリーンに用いる接触メディアであって、カード状の接触メディアの２つある短辺のうち、どちらの短辺近傍を持っても機能する接触メディアを提供することを可能とした。カード状の接触メディアの２つある短辺のうち、どちらの短辺の近傍を持っても機能する接触メディアにより、この接触メディアの使い方の制限が少なくなり、使用方法の説明を容易にし、産業上で広く利用することを可能とした。右利きや左利きの方への配慮にもなり、特にユニバーサルデザインとしての利用を可能とした。
【符号の説明】
【００３４】
１、１１  持ち位置部
２、１２  導線部
３、１３  タッチ部
４、１４  基材
【図１】
2020046914.tif 000003
【図２】
2020046914.tif 000004
【図３】
2020046914.tif 000005
【図４】
2020046914.tif 000006
【図５】
2020046914.tif 000007